(57)【要約】【課題】材料試験において様々な試験片や試験機を用いた場合でも柔軟に所定の温度環境を付与することが可能な空調空気供給装置、材料試験機及び材料試験方法を提供する。【解決手段】空調空気供給装置は、試験片を開放空間に配置して行う材料試験において、温調された空調空気を前記試験片に供給するための装置である。前記空調空気供給装置は、前記空調空気の温度を調整する空調ユニットと、前記空調ユニットの吹出部に接続された可撓性を有するダクトであって、前記空調ユニットにより温調された前記空調空気を前記開放空間に吹き出すための吹出口が設けられた吹出ダクトと、前記吹出口から前記開放空間に吹き出された前記空調空気を吸い込むための吸込口が設けられた可撓性を有する吸込ダクトと、を備えている。【選択図】図１
2020139780.tif 000002
【特許請求の範囲】
【請求項１】
試験片を開放空間に配置して行う材料試験において、温調された空調空気を前記試験片に供給するための空調空気供給装置であって、
前記空調空気の温度を調整する空調ユニットと、
前記空調ユニットの吹出部に接続された可撓性を有するダクトであって、前記空調ユニットにより温調された前記空調空気を前記開放空間に吹き出すための吹出口が設けられた吹出ダクトと、
前記吹出口から前記開放空間に吹き出された前記空調空気を吸い込むための吸込口が設けられた可撓性を有する吸込ダクトと、を備えた、空調空気供給装置。
【請求項２】
前記吹出口の開口面積が前記吸込口の開口面積よりも小さい、請求項１に記載の空調空気供給装置。
【請求項３】
前記吸込ダクトには、単一の前記吸込口が設けられており、
前記吹出ダクトには、前記吸込口よりも開口面積が小さい単一の前記吹出口が設けられている、請求項２に記載の空調空気供給装置。
【請求項４】
前記吸込ダクトには、複数の前記吸込口が設けられており、
前記吹出口の開口面積が、複数の前記吸込口の各々の開口面積の合計よりも小さい、請求項２に記載の空調空気供給装置。
【請求項５】
前記吹出口の開口面積が前記吸込口の開口面積よりも大きい、請求項１に記載の空調空気供給装置。
【請求項６】
前記吸込ダクトには、単一の前記吸込口が設けられており、
前記吹出ダクトには、前記吸込口よりも開口面積が大きい単一の前記吹出口が設けられている、請求項５に記載の空調空気供給装置。
【請求項７】
前記吹出ダクトには、複数の前記吹出口が設けられており、
複数の前記吹出口の各々の開口面積の合計が、前記吸込口の開口面積よりも大きい、請求項５に記載の空調空気供給装置。
【請求項８】
前記吹出口の開口面積と前記吸込口の開口面積とが同じである、請求項１に記載の空調空気供給装置。
【請求項９】
前記空調空気が前記吹出口から直線状に吹き出されるように前記空調空気の吹出方向を規定する整流部材をさらに備えた、請求項１〜８のいずれか１項に記載の空調空気供給装置。
【請求項１０】
試験片を保持する保持部と、
温調された空調空気を前記試験片に向けて供給する請求項１〜９のいずれか１項に記載の空調空気供給装置と、を備えた、材料試験機。
【請求項１１】
試験片を開放空間に配置するステップと、
空調空気の温度を調整する空調ユニットと、前記空調ユニットの吹出部に接続されると共に前記空調空気の吹出口が設けられた吹出ダクトと、前記空調空気の吸込口が設けられた吸込ダクトと、を備えた空調空気供給装置を、前記吹出口と前記吸込口との間に前記開放空間が位置するように配置するステップと、
前記試験片について材料試験を実行するステップと、を備え、
前記空調ユニットにより前記空調空気の温度を調整し、温調された前記空調空気を前記吹出口から前記試験片に向けて前記開放空間に吹き出すと共に、前記開放空間に吹き出された前記空調空気を前記吸込口から吸い込んで回収する、材料試験方法。
【請求項１２】
前記吹出口の開口面積が前記吸込口の開口面積よりも小さい前記空調空気供給装置を用いる、請求項１１に記載の材料試験方法。
【請求項１３】
前記吹出口の開口面積が前記吸込口の開口面積よりも大きい前記空調空気供給装置を用いる、請求項１１に記載の材料試験方法。
【発明の詳細な説明】
【技術分野】
【０００１】
本発明は、空調空気供給装置、材料試験機及び材料試験方法に関する。
【背景技術】
【０００２】
従来、引張試験や圧縮試験等、各種材料に力を加えてその材料特性（機械的性質、熱的性質、電気的性質等）を測定する材料試験や、各種材料に力を加えずに前記材料特性を測定する材料試験について知られている。このような材料試験では、所定の温度環境下における材料特性を評価するために、試験片の温度を目標とする試験温度に調整することが必要になる場合がある。この種の技術が、例えば特許文献１に記載されている。
【０００３】
特許文献１に記載された材料試験機は、試験片に対して試験力を付与するための負荷機構を有する試験機本体と、当該試験片が収容される恒温槽と、により構成されている。この材料試験機では、恒温槽内が隔壁によって試験空間と機器配置空間（加熱ヒータ及びファンが配置された空間）とに仕切られており、加熱ヒータにより加熱された空気を、ファンの作用により、隔壁に形成された通風孔を介して試験空間に循環させるように構成されている。この材料試験機によれば、加熱ヒータを制御することにより、試験空間の温度を所定の雰囲気温度に維持しつつ、試験片について材料試験が行われる。
【先行技術文献】
【特許文献】
【０００４】
【特許文献１】特開２０１７−２０７４７３号公報
【発明の概要】
【発明が解決しようとする課題】
【０００５】
材料試験に用いられる試験片や試験機本体としては、様々な種類や大きさのものが存在する。このため、所定の温度環境下で材料試験を行うに際し、特許文献１では、試験片や試験機本体に合った専用の恒温槽が、試験片や試験機本体ごとに必要になる。したがって、従来では、様々な試験片や試験機本体を用いた材料試験において柔軟に所定の温度環境を付与するのが困難という課題がある。
【０００６】
本発明は、上記課題に鑑みてなされたものであり、その一の目的は、材料試験において様々な試験片や試験機を用いた場合でも柔軟に所定の温度環境を付与することが可能な空調空気供給装置及び当該空調空気供給装置を備えた材料試験機を提供することである。また本発明の他の目的は、様々な試験片や試験機を用いた場合にも柔軟に所定の温度環境を付与することが可能な材料試験方法を提供することである。
【課題を解決するための手段】
【０００７】
本発明の一局面に係る空調空気供給装置は、試験片を開放空間に配置して行う材料試験において、温調された空調空気を前記試験片に供給するための装置である。前記空調空気供給装置は、前記空調空気の温度を調整する空調ユニットと、前記空調ユニットの吹出部に接続された可撓性を有するダクトであって、前記空調ユニットにより温調された前記空調空気を前記開放空間に吹き出すための吹出口が設けられた吹出ダクトと、前記吹出口から前記開放空間に吹き出された前記空調空気を吸い込むための吸込口が設けられた可撓性を有する吸込ダクトと、を備えている。
【０００８】
この空調空気供給装置によれば、材料試験の条件に応じて空調ユニットにより温調された空調空気を、開放空間に配置された試験片に向けて吹出口から吹き出すことができる。このため、従来のように試験片や試験機に合った専用の恒温槽を用いる必要がなく、様々な試験片や試験機を用いた場合でも、所定の温度環境下で材料試験を行うことができる。しかも、可撓性を有する吹出ダクト及び吸込ダクトを取り回すことにより、吹出口及び吸込口の位置を調整することができる。そして、吹出口及び吸込口の相対位置により、空調空気が開放空間において流れる方向を特定の方向に定めることができる。これにより、温調された空調空気を試験片により確実に当てることができるため、試験片の温度を目標温度に効率良く調整することができる。
【０００９】
上記空調空気供給装置において、前記吹出口の開口面積が前記吸込口の開口面積よりも小さくなっていてもよい。
【００１０】
この構成によれば、吹出口から開放空間に吹き出されて試験片に当たった空調空気が、吸込口によって吸込可能な範囲の外まで拡散するのを防ぐことができるため、空調空気をより確実に回収することができる。
【００１１】
上記空調空気供給装置において、前記吸込ダクトには、単一の前記吸込口が設けられていてもよい。前記吹出ダクトには、前記吸込口よりも開口面積が小さい単一の前記吹出口が設けられていてもよい。
【００１２】
この構成によれば、吹出口及び吸込口を複数設ける場合に比べて、吹出ダクト及び吸込ダクトの構成をより簡素化することができる。
【００１３】
上記空調空気供給装置において、前記吸込ダクトには、複数の前記吸込口が設けられており、前記吹出口の開口面積が、複数の前記吸込口の各々の開口面積の合計よりも小さくなっていてもよい。
【００１４】
この構成によれば、試験片に当たった空調空気が多方向に拡散した場合でも、当該空調空気を吸込ダクト内に確実に回収することができる。
【００１５】
上記空調空気供給装置において、前記吹出口の開口面積が前記吸込口の開口面積よりも大きくなっていてもよい。
【００１６】
この構成によれば、吹出口の開口面積を大きくすることにより、空調空気を試験片により確実に当てることができる。また、吸込口から吸込ダクト内に取り込まれる外気の量をより少なくすることができる。これにより、空調空気を０℃以下に温調して再利用する場合であっても、水分を多く含む多量の外気が空調ユニット内に流入し、蒸発器の表面等において霜付きが発生して運転不能になる事態を抑制することができる。
【００１７】
上記空調空気供給装置において、前記吸込ダクトには、単一の前記吸込口が設けられていてもよい。前記吹出ダクトには、前記吸込口よりも開口面積が大きい単一の前記吹出口が設けられていてもよい。
【００１８】
この構成によれば、吹出口及び吸込口を複数設ける場合に比べて、吹出ダクト及び吸込ダクトの構成をより簡素化することができる。
【００１９】
上記空調空気供給装置において、前記吹出ダクトには、複数の前記吹出口が設けられており、複数の前記吹出口の各々の開口面積の合計が、前記吸込口の開口面積よりも大きくなっていてもよい。
【００２０】
この構成によれば、試験片の表（おもて）面及び裏面の両方に対して空調空気を吹き付けることができるため、試験片全体の温度を均一化することができる。
【００２１】
上記空調空気供給装置において、前記吹出口の開口面積と前記吸込口の開口面積とが同じであってもよい。
【００２２】
この構成によれば、吹出ダクト及び吸込ダクトとして同じ部材を用いることが可能となり、またダクト内を流れる空調空気の圧力損失を小さくすることができる。
【００２３】
上記空調空気供給装置は、前記空調空気が前記吹出口から直線状に吹き出されるように前記空調空気の吹出方向を規定する整流部材をさらに備えていてもよい。
【００２４】
この構成によれば、空調空気が吹出口から拡散するのを抑制し、試験片に空調空気をより確実に当てることができる。また空調空気が吹出口から拡散する場合に比べて、吸込口からの空調空気の回収効率を上げることができる。
【００２５】
本発明の他の局面に係る材料試験機は、試験片を保持する保持部と、温調された空調空気を前記試験片に向けて供給する上記空調空気供給装置と、を備えている。
【００２６】
この材料試験機は、上記空調空気供給装置を備えるものであるため、様々な種類や大きさの試験片が用いられる場合でも、従来のように専用の恒温槽に都度変える必要はなく、柔軟に所定の温度環境を付与することが可能である。また、可撓性を有する吹出ダクト及び吸込ダクトを取り回して吹出口及び吸込口の位置を調整し、当該吹出口及び吸込口の相対位置によって、空調空気が開放空間において流れる方向を特定の方向に定めることができる。これにより、温調された空調空気を試験片により確実に当てることができるため、試験片の温度を目標温度に効率良く調整することができる。
【００２７】
本発明のさらに他の局面に係る材料試験方法は、試験片を開放空間に配置するステップと、空調空気の温度を調整する空調ユニットと、前記空調ユニットの吹出部に接続されると共に前記空調空気の吹出口が設けられた吹出ダクトと、前記空調空気の吸込口が設けられた吸込ダクトと、を備えた空調空気供給装置を、前記吹出口と前記吸込口との間に前記開放空間が位置するように配置するステップと、前記試験片について材料試験を実行するステップと、を備えている。この方法では、前記空調ユニットにより前記空調空気の温度を調整し、温調された前記空調空気を前記吹出口から前記試験片に向けて前記開放空間に吹き出すと共に、前記開放空間に吹き出された前記空調空気を前記吸込口から吸い込んで回収する。
【００２８】
この材料試験方法によれば、試験条件に応じて空調ユニットにより温調された空調空気を、開放空間に配置された試験片に向けて吹出口から吹き出すことができる。このため、様々な試験片や試験機が用いられる場合でも、その都度専用の恒温槽を用いる必要がなく、柔軟に所定の温度環境を付与することができる。しかも、空調空気が開放空間において流れる方向を、吹出口及び吸込口の相対位置により特定の方向に定めることができる。これにより、空調空気を試験片により確実に当てることができるため、試験片の温度を目標温度に効率良く調整することができる。
【００２９】
上記材料試験方法において、前記吹出口の開口面積が前記吸込口の開口面積よりも小さい前記空調空気供給装置を用いてもよい。
【００３０】
これにより、吹出口から開放空間に吹き出された空調空気を、吸込口からより確実に回収することができる。
【００３１】
上記材料試験方法において、前記吹出口の開口面積が前記吸込口の開口面積よりも大きい前記空調空気供給装置を用いてもよい。
【００３２】
これにより、開放空間から吸込ダクト内に取り込まれる外気の量をより少なくすることができる。
【発明の効果】
【００３３】
以上の説明から明らかなように、本発明によれば、材料試験において様々な試験片や試験機を用いた場合でも柔軟に所定の温度環境を付与することが可能な空調空気供給装置及び当該空調空気供給装置を備えた材料試験機を提供することができる。また本発明によれば、様々な試験片や試験機を用いた場合にも柔軟に所定の温度環境を付与することが可能な材料試験方法を提供することができる。
【図面の簡単な説明】
【００３４】
【図１】本発明の実施形態１に係る材料試験機及び空調空気供給装置の構成を模式的に示す図である。
【図２】本発明の実施形態１に係る空調空気供給装置における空調空気の吹出口及び吸込口の近傍の構成を拡大して示す模式図である。
【図３】本発明の実施形態１に係る空調空気供給装置における整流部材の構成を模式的に示す図である。
【図４】本発明の実施形態１の変形例に係る空調空気供給装置における空調空気の吹出口及び吸込口の近傍の構成を拡大して示す模式図である。
【図５】本発明の実施形態２に係る空調空気供給装置における空調空気の吹出口及び吸込口の近傍の構成を拡大して示す模式図である。
【図６】本発明の実施形態３に係る空調空気供給装置における空調空気の吹出口及び吸込口の近傍の構成を拡大して示す模式図である。
【図７】本発明の実施形態４に係る空調空気供給装置における空調空気の吹出口及び吸込口の近傍の構成を拡大して示す模式図である。
【図８】本発明の実施形態５に係る空調空気供給装置における空調空気の吹出口及び吸込口の近傍の構成を拡大して示す模式図である。
【図９】本発明の実施形態６に係る材料試験機及び空調空気供給装置の構成を模式的に示す図である。
【図１０】参考例の空調空気供給装置及び空調空気供給方法を説明するための模式図である。
【図１１】他の参考例の空調空気供給装置及び空調空気供給方法を説明するための模式図である。
【発明を実施するための形態】
【００３５】
以下、図面に基づいて、本発明の実施形態に係る空調空気供給装置、材料試験機及び材料試験方法について詳細に説明する。
【００３６】
（実施形態１）
＜材料試験機、空調空気供給装置＞
まず、本発明の実施形態１に係る材料試験機１及び空調空気供給装置２の構成について、図１〜図３を参照して説明する。なお、図１は、本実施形態に係る材料試験機１及び空調空気供給装置２における主要な構成要素のみを示しており、材料試験機１及び空調空気供給装置２は、同図に現れていない他の構成要素も備え得るものである。
【００３７】
材料試験機１は、各種材料からなる試験片１００の材料特性を評価する材料試験に用いられる装置である。材料試験の種類としては、例えば、引張試験、圧縮試験、曲げ試験又は衝撃試験などが挙げられる。また材料特性としては、例えば、様々な機械的性質（材料の強さ、弾性又は硬さ等）、熱的性質（線膨張係数等）又は電気的性質（電気抵抗等）などが挙げられる。本実施形態では、引張試験により試験片１００の機械的性質を評価する例について説明する。
【００３８】
図１に示すように、材料試験機１は、試験片１００を保持する保持部３と、温調された空調空気Ａ１を試験片１００に向けて供給する空調空気供給装置２と、を主に備えている。保持部３は、試験片１００の上端を挟持する上チャック３Ａと、試験片１００の下端を挟持する下チャック３Ｂと、を有している。試験片１００のサイズは、引張試験の規格により定められている。また保持部３は、上チャック３Ａ及び下チャック３Ｂからなる場合に限定されず、材料試験の種類に応じた種々のものを用いることができる。
【００３９】
空調空気供給装置２は、試験片１００を開放空間Ｓ０に配置して行う引張試験（材料試験）において、温調された空調空気Ａ１を試験片１００に対して局部的に供給するための装置である。空調空気供給装置２を用いることにより、所定の温度条件下における引張試験が可能になる。図１に示すように、空調空気供給装置２は、空調ユニット１０と、吹出ダクト２０と、吸込ダクト３０と、を主に備えている。以下、これらの構成要素についてそれぞれ説明する。
【００４０】
空調ユニット１０は、空調空気Ａ１の温度を調整する装置である。空調ユニット１０は、ユニット筐体１１と、冷凍機１３と、加熱器１４と、送風機１５と、コントローラ１８と、を主に有している。冷凍機１３は、蒸気圧縮冷凍サイクルを行う装置であり、冷媒が循環する冷媒回路（図示しない）と、当該冷媒回路に配置された冷却器１３Ａ（蒸発器）、圧縮機１３Ｂ、凝縮器（図示しない）及び膨張機構と、を主に有している。
【００４１】
ユニット筐体１１は、空調ユニット１０の各機器（冷凍機１３、加熱器１４及び送風機１５）を収容する直方体形状の筐体である。ユニット筐体１１の下面には、空調ユニット１０を床面Ｆ１上で支持する支持脚１６が設けられていると共に、空調ユニット１０を床面Ｆ１上において移動させるためのキャスター１７が設けられている。図１に示すように、ユニット筐体１１には、冷却器１３Ａ、加熱器１４及び送風機１５が収容される空調室１０Ａと、当該空調室１０Ａの下方に位置すると共に圧縮機１３Ｂが収容される機械室１０Ｂと、がそれぞれ設けられている。
【００４２】
ユニット筐体１１（空調室１０Ａ）における１つの側面には、温調された空調空気Ａ１をユニット筐体１１の外へ吹き出すための吹出部１１Ａと、空調空気Ａ１をユニット筐体１１内に吸い込むための吸込部１１Ｂと、がそれぞれ設けられている。そして、ユニット筐体１１（空調室１０Ａ）内には、吸込部１１Ｂから吹出部１１Ａまで至る通風空間Ｓ１（図１中の破線で示す空間）が設けられている。図１に示すように、当該通風空間Ｓ１において、冷却器１３Ａ、加熱器１４及び送風機１５が、風上側から風下側に向かってこの順で配置されている。
【００４３】
冷凍機１３は、通風空間Ｓ１を流れる空調空気Ａ１を冷却するための装置である。具体的には、冷却器１３Ａ（蒸発器）を通過する空調空気Ａ１と当該冷却器１３Ａ内を流れる冷媒とを熱交換させて冷媒を蒸発させることにより、空調空気Ａ１が冷却される。
【００４４】
加熱器１４は、通風空間Ｓ１を流れる空調空気Ａ１を加熱するためのものである。加熱器１４は、例えば、ワイヤヒータにより構成されているがこれに限定されず、他の加熱方式を採用することも可能である。
【００４５】
送風機１５は、空調空気Ａ１の流れを発生させるファンであり、冷却器１３Ａや加熱器１４により温調された空調空気Ａ１を吹出部１１Ａに向かって吹き出す。コントローラ１８は、空調ユニット１０の各動作（冷凍機１３、加熱器１４及び送風機１５の各動作）を制御するものである。具体的に、コントローラ１８は、温度センサーＴ１による測定値と温度設定値とを比較し、これに基づいて冷凍機１３及び加熱器１４の出力を制御する。
【００４６】
図１に示すように、温度センサーＴ１は、本実施形態では試験片１００に取り付けられており、試験片１００の温度を測定するために使用される。しかしこれに限定されず、温度センサーＴ１は、例えば、試験片１００の近傍を流れる空調空気Ａ１の温度を測定するために使用されてもよい。また温度センサーＴ１は、試験片１００に取り付けられるものに限定されず、試験片１００の温度を非接触で測定するものであってもよい。
【００４７】
吹出ダクト２０は、空調ユニット１０の吹出部１１Ａに接続された可撓性を有するダクトである。具体的には、吹出ダクト２０は、空調空気Ａ１が流れる流路が内部に形成された円筒形状のダクトであり、空調ユニット１０の吹出部１１Ａに接続された一端部を有すると共に、当該一端部から反対側の他端部まで延びている。そして当該他端部には、空調ユニット１０により温調された空調空気Ａ１を開放空間Ｓ０に吹き出すための吹出口２１が設けられている。図１に示すように、本実施形態では、単一の吹出口２１が吹出ダクト２０に設けられている。
【００４８】
なお、吹出ダクト２０は、１本のダクトにより構成されていてもよいし、互いに接続された複数本のダクトにより構成されていてもよい。また吹出ダクト２０の形状は円筒形状に限定されず、例えば角筒形状などの他の形状であってもよい。
【００４９】
吸込ダクト３０は、空調ユニット１０の吸込部１１Ｂに接続された可撓性を有するダクトである。具体的に、吸込ダクト３０は、空調空気Ａ１が流れる流路が内部に形成された円筒形状のダクトであり、空調ユニット１０の吸込部１１Ｂに接続される一端部３２を有すると共に、当該一端部３２から反対側の他端部まで延びている。そして当該他端部には、吹出口２１から開放空間Ｓ０に吹き出された空調空気Ａ１を吸い込むための吸込口３１が設けられている。吸込口３１において空調空気Ａ１を吸込ダクト３０内に吸い込むための負圧が生じるように、送風機１５の吸引静圧、吸込ダクト３０の長さ及び吸込ダクト３０の内径等が定められている。
【００５０】
また本実施形態では、単一の吸込口３１が吸込ダクト３０に設けられている。なお、吹出ダクト２０と同様に、吸込ダクト３０は、１本のダクトにより構成されていてもよいし、互いに接続された複数本のダクトにより構成されていてもよい。また吸込ダクト３０の形状は円筒形状に限定されず、例えば角筒形状などの他の形状であってもよい。
【００５１】
図１に示すように、吹出口２１及び吸込口３１は、それぞれ開放空間Ｓ０に臨むように位置しており、且つ試験片１００を間に挟んで互いに対向している。すなわち、吸込口３１は、空調空気Ａ１の流れ方向において、吹出口２１の風下側に位置している。これにより、吹出口２１から開放空間Ｓ０に吹き出されて試験片１００に当たった空調空気Ａ１を吸込口３１から吸い込み、吸込ダクト３０を通じて空調ユニット１０に戻すことができる。なお、吹出口２１及び吸込口３１は、試験片１００を間に挟むように位置すればよく、対向していなくてもよい。また、吹出口２１から試験片１００の両表面に沿って空調空気Ａ１を流し、試験片１００の両表面に沿って流れた空調空気Ａ１を吸込口３１から吸い込む構成としてもよい。
【００５２】
吹出ダクト２０及び吸込ダクト３０の「可撓性」とは、吹出口２１及び吸込口３１の各位置を自在に可変とするダクトの撓み易さを意味する。これにより、吹出口２１と吸込口３１との相対位置によって空調空気Ａ１が開放空間Ｓ０において流れる方向を特定の方向に定めることができ、試験片１００の交換を行い易いように吹出口２１及び吸込口３１の位置を変えることができ、試験片１００の種類に応じて吹出口２１と吸込口３１との間の距離を変えることができる。また異なる材料試験を行う場合、例えば、引張試験から衝撃試験に切り替える場合においても、容易に対応することができる。
【００５３】
図２は、空調空気供給装置２における吹出口２１及び吸込口３１の近傍を拡大して示している。本実施形態では、吹出口２１の開口面積が吸込口３１の開口面積と異なっており、吸込口３１の開口面積よりも小さくなっている。より具体的には、吸込ダクト３０は、一定の内径を有する円筒形状のダクトである一方、吹出ダクト２０は、一定の内径を有する円筒形状のダクト本体部２０Ａと、当該ダクト本体部２０Ａの端部から吹出口２１に向かって縮径するテーパ部２０Ｂと、を有している。そして、図２に示すように、吹出口２１におけるダクト径Ｄ１が、吸込口３１におけるダクト径Ｄ２よりも小さくなっている。
【００５４】
図３は、図２中の領域ＩＩＩにおいて、吹出ダクト２０（テーパ部２０Ｂ）の内部を空調空気Ａ１の流れ方向から見た時の構成を模式的に示している。空調空気供給装置２は、空調空気Ａ１が吹出口２１から直線状に吹き出されるように空調空気Ａ１の吹出方向を規定する整流部材４０を備えている。図３に示すように、整流部材４０は、第１方向に互いに間隔を空けて配置されると共に第２方向（第１方向に直交する方向）に延びる複数の第１格子板４１と、第２方向に互いに間隔を空けて配置されると共に第１方向に延びる複数の第２格子板４２と、により構成されている。これにより、空調空気Ａ１が通過する通風穴Ｓ２が、吹出ダクト２０（テーパ部２０Ｂ）内において多数設けられている。各通風穴Ｓ２は、第１方向に互いに対向する一対の第１格子板４１と、第２方向に互いに対向する一対の第２格子板４２と、により規定されており、空調空気Ａ１の流れ方向から見て四角形状を有している。空調空気Ａ１が通風穴Ｓ２を通過することにより、空調空気Ａ１に対して整流作用が働く。
【００５５】
なお、通風穴Ｓ２の形状は四角形状に限定されず、他の多角形状（例えば、六角形状の通風穴Ｓ２が多数形成されたハニカム構造）であってもよいし、円形状などであってもよい。また整流部材４０は、テーパ部２０Ｂに設けられる場合に限定されず、当該テーパ部２０Ｂよりも風上側に位置するダクト本体部２０Ａ内に設けられていてもよい。
【００５６】
＜材料試験方法＞
次に、上記材料試験機１を用いて行われる、本実施形態に係る材料試験方法について説明する。本実施形態では、試験片１００を用いた引張試験を、本発明の材料試験方法の一例として説明する。
【００５７】
まず、試験片１００を開放空間Ｓ０に配置するステップが行われる。このステップでは、図１に示すように、試験片１００の上端を上チャック３Ａによって挟持し且つ試験片１００の下端を下チャック３Ｂによって挟持することにより、試験片１００を固定する。
【００５８】
次に、上記空調空気供給装置２を準備し、当該空調空気供給装置２を配置するステップが行われる。このステップでは、図１に示すように、吹出口２１と吸込口３１とが開放空間Ｓ０を挟んで位置するように、空調空気供給装置２が配置される。より具体的には、吹出口２１と吸込口３１とが互いに対向すると共に試験片１００が吹出口２１と吸込口３１との間に位置するように、吹出ダクト２０及び吸込ダクト３０をそれぞれ取り回して吹出口２１及び吸込口３１の位置をそれぞれ調整する。
【００５９】
次に、試験片１００について材料試験を実行するステップが行われる。このステップでは、試験片１００に引張力（試験力）を付与し、試験片１００の機械的性質を測定する。具体的には、上チャック３Ａを上方向に移動させて試験片１００を上方向に引っ張り、試験片１００が破断するまで引張力を増加させる。そして、応力と歪との関係等に基づいて、試験片１００の引張強度や降伏点などの種々の機械的性質を測定する。
【００６０】
このステップでは、空調ユニット１０により空調空気Ａ１の温度を調整し、温調された空調空気Ａ１を吹出口２１から試験片１００に向けて開放空間Ｓ０に吹き出すと共に、開放空間Ｓ０に吹き出された空調空気Ａ１を吸込口３１から吸い込んで回収し、回収した空調空気Ａ１を吸込ダクト３０を通じて空調ユニット１０に戻すことにより、空調空気Ａ１を循環させる。具体的には、以下の通りである。
【００６１】
まず、引張試験における設定温度を、コントローラ１８に入力する。そして、送風機１５を作動させることにより、冷凍機１３や加熱器１４により温調された空調空気Ａ１が吹出部１１Ａから空調ユニット１０の外へ吹き出され、吹出ダクト２０内を流れた後、吹出口２１から試験片１００の一方の表面に向かって開放空間Ｓ０に吹き出される。この時、空調空気Ａ１が吹出口２１から直線状に吹き出されるように、空調空気Ａ１の吹出方向を整流部材４０（図３）により規定する。そして、試験片１００に当たった空調空気Ａ１が吸込口３１から吸込ダクト３０内に吸い込まれることにより回収され、吸込ダクト３０を通じて空調ユニット１０まで流れる。その後、吸込ダクト３０から空調ユニット１０内に戻った空調空気Ａ１が、冷却器１３Ａや加熱器１４により再度温調される。この空調空気Ａ１は、一旦温調されて試験片１００に吹き付けられた後のものを再利用したものであるため、冷凍機１３や加熱器１４の消費電力を低減することができる。
【００６２】
このように、本実施形態に係る材料試験方法では、空調ユニット１０による温調後に開放空間Ｓ０に吹き出された空調空気Ａ１を、吸込ダクト３０を通じて再び空調ユニット１０に戻す。また試験片１００に引張力を加えている間は、温度センサーＴ１により試験片１００の温度を監視し、温度センサーＴ１により測定される温度が設定温度に近づくように、コントローラ１８により冷凍機１３及び加熱器１４をフィードバック制御する。以上のようにして、本実施形態に係る材料試験方法が実施される。
【００６３】
なお、本実施形態では、試験片１００を固定した後、空調空気供給装置２を配置する場合について説明したが、この順序に限定されない。すなわち、吹出口２１と吸込口３１とが互いに対向するように空調空気供給装置２が予め配置されており、その後に試験片１００を固定してもよい。
【００６４】
また吹出ダクト２０の先端形状は、図２に示す形状に限定されない。図４は、本実施形態の変形例に係る空調空気供給装置における吹出口２１及び吸込口３１の近傍を拡大して示している。吹出ダクト２０は、上述したテーパ部２０Ｂ（図２）を有する場合に限定されず、全体が一定の内径を有する円筒形状のダクトにより構成されていてもよい。図４の変形例においても、吹出口２１のダクト径Ｄ１が吸込口３１のダクト径Ｄ２よりも小さく、吹出口２１の開口面積が吸込口３１の開口面積よりも小さくなっている。
【００６５】
（実施形態２）
次に、本発明の実施形態２に係る空調空気供給装置２Ａ及び材料試験方法について、図５を参照して説明する。実施形態２に係る空調空気供給装置２Ａ及び材料試験方法は、基本的に実施形態１と同様であるが、吸込ダクト３０に複数の吸込口が設けられている点で実施形態１と異なっている。以下、実施形態１と異なる点についてのみ説明する。
【００６６】
図５は、実施形態２に係る空調空気供給装置２Ａにおける吹出口２１及び吸込口３１の近傍を拡大して示している。実施形態２では、吸込ダクト３０には、複数の吸込口３１が設けられている。具体的には、図５に示すように、吸込ダクト３０は、任意の箇所において複数本（例えば、２本）のダクト管に分岐している（第１吸込ダクト管３３及び第２吸込ダクト管３４）。そして、第１吸込ダクト管３３及び第２吸込ダクト管３４のそれぞれの先端に吸込口３１が設けられている。
【００６７】
第１吸込ダクト管３３及び第２吸込ダクト管３４は、各吸込口３１が吹出口２１に対して対向せず、吹出ダクト２０に対して傾いた姿勢で配置されている。そして、吹出口２１の開口面積は、複数の吸込口３１の各々の開口面積の合計よりも小さくなっている。本実施形態に係る材料試験方法は、上記構成を有する空調空気供給装置２Ａを用いて、上記実施形態１と同様の手順で行われる。
【００６８】
なお、吸込口３１の数は２つに限定されず、３つ以上の吸込口３１が設けられていてもよい。また実施形態２において、図２に示したテーパ部２０Ｂを有する吹出ダクト２０が採用されてもよい。吸込ダクト３０は、任意の箇所において複数本のダクト管に分岐した構成に限定されず、独立した複数のダクトから構成されていてもよい。各吸込口３１は、吹出口２１に対して対向した姿勢で配置されていてもよい。また吹出口２１の開口面積は、複数の吸込口３１の各々の開口面積の合計より小さい場合に限定されず、当該開口面積の合計と同じでもよいし、当該開口面積の合計より大きくてもよい。
【００６９】
（実施形態３）
次に、本発明の実施形態３に係る空調空気供給装置２Ｂ及び材料試験方法について、図６を参照して説明する。実施形態３に係る空調空気供給装置２Ｂ及び材料試験方法は、基本的に実施形態１と同様であるが、吹出口２１の開口面積が吸込口３１の開口面積よりも大きい点で実施形態１と異なっている。以下、実施形態１と異なる点についてのみ説明する。
【００７０】
図６は、実施形態３に係る空調空気供給装置２Ｂにおける吹出口２１及び吸込口３１の近傍を拡大して示している。実施形態３では、吹出口２１の開口面積が、吸込口３１の開口面積よりも大きくなっている。具体的には、図６に示すように、吸込ダクト３０には、単一の吸込口３１が設けられており、吹出ダクト２０には、吸込口３１よりも開口面積が大きい単一の吹出口２１が設けられている。
【００７１】
吹出ダクト２０及び吸込ダクト３０は、それぞれ一定の内径を有するダクトにより構成されており、吹出口２１のダクト径Ｄ１が吸込口３１のダクト径Ｄ２よりも大きくなっている。本実施形態に係る材料試験方法は、上記構成を有する空調空気供給装置２Ｂを用いて、上記実施形態１と同様の手順で行われる。
【００７２】
（実施形態４）
次に、本発明の実施形態４に係る空調空気供給装置２Ｃ及び材料試験方法について、図７を参照して説明する。実施形態４に係る空調空気供給装置２Ｃ及び材料試験方法は、基本的に実施形態３と同様であるが、吹出ダクト２０に複数の吹出口２１が設けられている点で実施形態１と異なっている。以下、実施形態１と異なる点についてのみ説明する。
【００７３】
図７は、実施形態４に係る空調空気供給装置２Ｃにおける吹出口２１及び吸込口３１の近傍を拡大して示している。実施形態４では、吹出ダクト２０には、複数の吹出口２１が設けられている。具体的には、図７に示すように、吹出ダクト２０は、任意の箇所において複数本（例えば、２本）のダクト管に分岐している（第１吹出ダクト管２３及び第２吹出ダクト管２４）。そして、第１吹出ダクト管２３及び第２吹出ダクト管２４のそれぞれの先端に吹出口２１が設けられている。
【００７４】
第１吹出ダクト管２３は、吹出口２１が試験片１００の表（おもて）面１００Ａに向くように、吸込ダクト３０に対して傾いた姿勢で配置されている。一方、第２吹出ダクト管２４は、吹出口２１が試験片１００の裏面１００Ｂに向くように、吸込ダクト３０に対して傾いた姿勢で配置されている。そして、複数の吹出口２１の各々の開口面積の合計は、吸込口３１の開口面積よりも大きくなっている。本実施形態に係る材料試験方法は、上記構成を有する空調空気供給装置２Ｃを用いて、上記実施形態１と同様の手順で行われる。
【００７５】
なお、吹出口２１の数は２つに限定されず、３つ以上の吹出口２１が設けられていてもよい。また第１吹出ダクト管２３及び第２吹出ダクト管２４のうち一方又は両方において、図２に示したテーパ部２０Ｂが採用されてもよい。吹出ダクト２０は、任意の箇所において複数本のダクト管に分岐した構成に限定されず、独立した複数のダクトから構成されていてもよい。吹出口２１は、吸込ダクト３０（吸込口３１）に対して対向した姿勢で配置されていてもよい。また複数の吹出口２１の各々の開口面積の合計は、吸込口３１の開口面積よりも大きい場合に限定されず、吸込口３１の開口面積と同じでもよいし、吸込口３１の開口面積よりも小さくてもよい。さらに、第１吹出ダクト管２３及び第２吹出ダクト管２４の双方を、試験片１００の表（おもて）面１００Ａに向くように配置し、また双方を試験片１００の裏面１００Ｂに向くように配置してもよい。
【００７６】
（実施形態５）
次に、本発明の実施形態５に係る空調空気供給装置２Ｄ及び材料試験方法について、図８を参照して説明する。実施形態５に係る空調空気供給装置２Ｄ及び材料試験方法は、基本的に実施形態１と同様であるが、吹出口２１の開口面積と吸込口３１の開口面積とが同じである点で実施形態１と異なっている。以下、実施形態１と異なる点についてのみ説明する。
【００７７】
図８は、実施形態５に係る空調空気供給装置２Ｄにおける吹出口２１及び吸込口３１の近傍を拡大して示している。実施形態５では、吹出口２１の開口面積が、吸込口３１の開口面積と同じになっている。具体的には、図８に示すように、吹出ダクト２０及び吸込ダクト３０が、それぞれ一定の内径を有する円筒形状のダクトにより構成されており、吹出口２１のダクト径Ｄ１が吸込口３１のダクト径Ｄ２と同じになっている。本実施形態に係る材料試験方法は、上記構成を有する空調空気供給装置２Ｄを用いて、上記実施形態１と同様の手順で行われる。
【００７８】
（実施形態６）
次に、本発明の実施形態６に係る空調空気供給装置２Ｅ、材料試験機１Ｅ及び材料試験方法について、図９を参照して説明する。実施形態６に係る空調空気供給装置２Ｅ、材料試験機１Ｅ及び材料試験方法は、基本的に実施形態１と同様であるが、吸込ダクト３０が空調ユニット１０の吸込部に接続されていない点で実施形態１と異なっている。以下、実施形態１と異なる点についてのみ説明する。
【００７９】
図９に示すように、実施形態６では、吸込ダクト３０における吸込口３１と反対側に排気口３２Ａが設けられている。排気口３２Ａは、空調ユニット１０に接続されておらず、自由端となっており、材料試験が行われる開放空間に対して開放されている。このため、吸込口３１から吸込ダクト３０内に回収された空調空気Ａ１は、空調ユニット１０に戻されず、排気口３２Ａを通じて吸込ダクト３０の外に排出される。本実施形態に係る材料試験方法は、上記構成を有する空調空気供給装置２Ｅを用いて、上記実施形態１と同様の手順で行われる。
【００８０】
吸込口３１、排気口３２Ａ及び吸込ダクト３０における吸込口３１と排気口３２Ａとの間の部位のうち少なくともいずれかに、送風機が配置されていてもよい。また排気口３２Ａは、材料試験が行われる開放空間に対して開放されている場合に限定されず、材料試験が行われる部屋の排気口に接続されていてもよい。
【００８１】
なお、排気口３２Ａから排出した空調空気Ａ１を、加熱又は冷却により温調してもよい。これにより、排出された空調空気Ａ１の温度を、材料試験が行われる開放空間の温度に影響を与えないように調整し、また当該開放空間において結露が生じないように調整することができる。この場合、排出された空調空気Ａ１の加熱又は冷却を行う機構が設けられる。この加熱冷却機構は、排気口３２Ａから排出される空調空気Ａ１の温調専用のものであってもよいし、試験片１００に吹き付けられる空調空気Ａ１の加熱又は冷却を行う機構と兼用のものであってもよい。
【００８２】
（その他実施形態）
ここで、本発明のその他実施形態について説明する。
【００８３】
実施形態１では、空調ユニット１０が空調空気Ａ１の温調機能のみを有している場合について説明したが、これに限定されない。空調ユニットは、温調機能に加えて、空調空気Ａ１の加湿機能をさらに有していてもよい。この場合、例えばユニット筐体１１の通風空間Ｓ１（図１）に加湿器が配置され、また空調空気Ａ１の湿度を測定する湿度センサーが別途設けられる。なお、当該加湿器は、通風空間Ｓ１に配置される場合に限定されず、ユニット筐体１１の外に配置されており、通風空間Ｓ１に加湿空気を導入する構成であってもよい。
【００８４】
実施形態１では、整流部材４０が吹出ダクト２０内にのみ配置されている場合について説明したが、これに限定されない。吹出ダクト２０内における吹出口２１の近傍及び吸込ダクト３０内における吸込口３１の近傍の両方において、整流部材４０が配置されていてもよいし、吸込口３１の近傍のみに整流部材が配置されていてもよい。また各ダクト内において、１つの整流部材４０のみが配置されていてもよいし、複数の整流部材４０が配置されていてもよい。また整流部材４０は本発明において必須の構成要素ではなく、省略されてもよい。
【００８５】
上述の実施形態では、試験片１００に試験力を付与して当該試験片１００の機械的性質を評価する材料試験を行う場合について説明したが、他の材料試験において本発明が適用されてもよい。すなわち、試験片１００に試験力を付与して機械的性質以外の材料特性（例えば、熱的性質や電気的性質等）を評価する材料試験に本発明が適用されてもよいし、試験片１００に試験力を付与せずに各種の材料特性（例えば、熱的性質や電気的性質等）を評価する材料試験に本発明が適用されてもよい。
【００８６】
上述の実施形態では、吹出口２１及び吸込口３１の各々が１つずつ設けられる形態、及び吹出口２１及び吸込口３１のうち一方のみが複数設けられる形態について説明したが、これらに限定されない。すなわち、吹出口２１及び吸込口３１のうち少なくとも一方が複数設けられていてもよく、したがって吹出口２１及び吸込口３１の双方が複数設けられる構成であってもよい。
【００８７】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【００８８】
（参考例）
なお、本明細書は、参考例として、以下の構成要件を備えた空調空気供給装置及び空調空気供給方法を開示する。この空調空気供給装置及び空調空気供給方法によれば、空調ユニットにより温調された空調空気を、開放空間に配置された対象物（被温調物）に向けて吹出口から吹き出すことができる。このため、対象物を所定の温度条件に調整するのに際して、対象物の種類や大きさ等に応じて専用の恒温槽を用いる必要がなく、様々な対象物の温調制御に適用することができる。しかも、吹出口から開放空間（被温調空間）に吹き出された空調空気を吸込口から吸い込んで回収することにより、空調空気が開放空間において流れる方向を、吹出口と吸込口の相対位置に応じて特定の方向に定めることができる。これにより、温調対象物に対して空調空気をより確実に当てることができるため、当該対象物の温度を目標温度に効率良く調整することができる。したがって、以下の構成要件を有する空調空気供給装置及び空調空気供給方法によれば、上記特許文献１において、温調の対象物（試験片）の種類や大きさ等に応じて専用の恒温槽を個別に用いる必要があり、様々な種類や大きさの対象物の温調において柔軟に対応するのが難しい、という課題が解決される。
【００８９】
＜空調空気供給装置＞
温調された空調空気を、開放空間に供給する空調空気供給装置であって、
前記空調空気の温度を調整する空調ユニットと、
前記空調ユニットの吹出部に接続された可撓性を有するダクトであって、前記空調ユニットにより温調された前記空調空気を前記開放空間に吹き出すための吹出口が設けられた吹出ダクトと、
前記吹出口から前記開放空間に吹き出された前記空調空気を吸い込むための吸込口が設けられた可撓性を有する吸込ダクトと、を備えた、空調空気供給装置。
【００９０】
＜空調空気供給方法＞
空調空気の温度を調整する空調ユニットと、前記空調ユニットの吹出部に接続されると共に前記空調空気の吹出口が設けられた吹出ダクトと、前記空調空気の吸込口が設けられた吸込ダクトと、を備えた空調空気供給装置を、前記吹出口と前記吸込口との間に開放空間が位置するように配置することと、
前記空調ユニットにより前記空調空気の温度を調整し、温調された前記空調空気を前記吹出口から前記開放空間に吹き出すと共に、前記開放空間に吹き出された前記空調空気を前記吸込口から吸い込んで回収すること、とを含む、空調空気供給方法。
【００９１】
上記空調空気供給装置及び空調空気供給方法が適用される具体例としては、上記実施形態において説明した材料試験機１及び材料試験方法の他、例えば、図１０に示す製造ラインにおける温度制御、図１１に示す他の試験装置や試験方法における温度制御、などが挙げられる。具体的には、図１０に示すように、ワークＷを搬送するコンベアＣの側方に吹出口２１が位置するように吹出ダクト２０を配置すると共に、当該吹出口２１が位置する側と逆の当該コンベアＣの側方に吸込口３１が位置するように吸込ダクト３０を配置する。そして、空調ユニット１０により温調された空調空気Ａ１をコンベアＣ上のワークＷに向かって開放空間Ｓ０に吹き出すと共に、開放空間Ｓ０に吹き出された空調空気Ａ１を吸込口３１から吸い込んで回収し、吸込ダクト３０を通じて空調ユニット１０に戻すことにより、空調空気Ａ１を循環させる。この時、吸込口３１から回収した空調空気Ａ１を、空調ユニット１０に戻さずに吸込ダクト３０の外に排出してもよい。
【００９２】
また図１１では、図１０中のコンベアＣに代えて載置台１２０が設けられており、当該載置台１２０上に設置された試料１１０に向けて温調された空調空気Ａ１を開放空間Ｓ０に吹き出すと共に、当該空調空気Ａ１を吸込口３１から吸い込んで回収する場合を例示している。この場合も、吸込口３１から回収した空調空気Ａ１が、空調ユニット１０に戻されてもよいし、空調ユニット１０に戻されずに吸込ダクト３０の外に排出されてもよい。なお、図１０及び図１１中において、上記実施形態と同じ構成要素には同じ符号を付し、その説明を省略する。
【符号の説明】
【００９３】
１  材料試験機
２，２Ａ，２Ｂ，２Ｃ，２Ｄ  空調空気供給装置
３  保持部
１０  空調ユニット
１１Ａ  吹出部
１１Ｂ  吸込部
２０  吹出ダクト
２１  吹出口
３０  吸込ダクト
３１  吸込口
４０  整流部材
１００  試験片
Ａ１  空調空気
Ｓ０  開放空間
【図１】
2020139780.tif 000003
【図２】
2020139780.tif 000004
【図３】
2020139780.tif 000005
【図４】
2020139780.tif 000006
【図５】
2020139780.tif 000007
【図６】
2020139780.tif 000008
【図７】
2020139780.tif 000009
【図８】
2020139780.tif 000010
【図９】
2020139780.tif 000011
【図１０】
2020139780.tif 000012
【図１１】
2020139780.tif 000013